(57)【要約】【課題】見栄え、穿き心地、ならびに利便性を損なわせることなく、上衣の裾が下衣から出ることを低減させることができる下衣を提供することを目的とする。【解決手段】  ズボン１は、着用時に着用者のウエストを帯状のウエストバンド５で取り囲むように構成されており、ズボン１の内側において、上端がウエストバンド５に固定されるとともに、下端が自由端となっており、このウエストバンド５に沿うように設けられた帯部材８と、帯部材８の着用者と接する側の面に、長手方向における両端部が取り付けられた複数の帯状の伸縮性部材９ａ、９ｂとを備え、帯部材８に取り付けられた伸縮性部材９ａ、９ｂそれぞれの両端部間において、伸縮性部材９ａ、９ｂそれぞれの長さは帯部材８の長さよりも短くなっている。【選択図】図３
2014152409.tif 000002
【特許請求の範囲】
【請求項１】
着用時に着用者のウエストを帯状のウエストバンドで取り囲むように構成された下衣であって、
当該下衣の内側において、上端が前記ウエストバンドに固定されるとともに、下端が自由端となっており、該ウエストバンドに沿うように設けられた帯部材と、
前記帯部材の前記着用者と接する側の面に、長手方向における両端部が取り付けられた複数の帯状の伸縮性部材と、を備え、
前記帯部材に取り付けられた伸縮性部材の両端部間において、該伸縮性部材の長さは前記帯部材の長さよりも短くなっていることを特徴とする下衣。
【請求項２】
前記伸縮性部材は、当該下衣の両側部位置において前記帯部材上にそれぞれ配置されていることを特徴とする請求項１に記載の下衣。
【請求項３】
当該下衣の両側部には、前身頃と後ろ身頃との切替である脇線が設けられており、
前記伸縮性部材の両端部は、前記脇線を跨ぎその前後となる位置で前記帯部材にそれぞれ固定されていることを特徴とする請求項２に記載の下衣。
【請求項４】
前記帯部材は、該帯部材の短手方向で折り曲げ形成された複数の第１帯部分と、該帯部材の短手方向で折り曲げ形成され、着用者と接する側の面に前記伸縮性部材が取り付けられた複数の第２帯部分とをつなぎ合わせて構成されており、
前記第２帯部分の端部とともに前記伸縮性部材の端部が、折り曲げられた第１帯部分によって挟みこまれるように配置され、縫着されることを特徴とする請求項１から３のいずれか１項に記載の下衣。
【発明の詳細な説明】
【技術分野】
【０００１】
本発明は、ズボンまたはスカートなどの下衣に関する。
【背景技術】
【０００２】
従来からズボンまたはスカートなどの下衣において、シャツなどの上衣の裾を下衣に入れて着用する場合、着用者が姿勢を変更することによって上衣の裾が下衣からでてしまう問題があった。
【０００３】
そこで、内側に伸縮自在なベルト通しを設け、内側面に滑り止めを有する内ベルトをこのベルト通しに通すズボンが開示されている（特許文献１）。この特許文献１に係るズボンは、ベルト通しに通した内ベルトで着用者のウエストに固定される。そして例えば、着用者がお辞儀をした場合、着用者のウエスト位置からズボン背部のウエスト周り部分がずれるが、ベルト通しが伸縮自在であるためベルトは着用者のウエストに固定されたままとなっている。そして、着用者がお辞儀の姿勢から直立した姿勢となると、伸びていたベルト通しは元の状態に縮み、ズボン背部はウエスト位置に戻ることができる。この構成のズボンでは、着用者が上半身に着たシャツなどの上から内ベルトで固定されているため、着用者の姿勢変更によりズボンからはみ出ることを防ぐことができる。
【０００４】
また、同様な構成として、内側において人体の腰骨位置から後側の部位にアジャスター帯通しを複数、取り付け、このアジャスター帯通しにアジャスター帯を通すズボンが開示されている（特許文献２）。
【先行技術文献】
【特許文献】
【０００５】
【特許文献１】特開平６−３３３０２号公報
【特許文献２】特開２００３−２３９１１２号公報
【発明の概要】
【発明が解決しようとする課題】
【０００６】
しかしながら、従来のズボンでは、上衣の裾が下衣から出ることを低減させるとともに、見栄え、穿き心地、ならびに利便性を向上させることができないという問題がある。
【０００７】
より具体的には、従来のズボンでは、ズボンと内ベルト（または、アジャスター）とが別体として設けられているため、ズボン着用時には、この内ベルト（または、アジャスター）を用意しなければならず、着用者にとって煩わしいものとなる。特に、ウエストバンド位置の外側に通常のベルトを巻き、ウエスト周りの寸法調整も行う場合は、２種類のベルトを用意する必要があり、着用者にとってより一層、煩わしいものとなる。
【０００８】
また、内ベルト（または、アジャスター）を通すためのベルト通し（または、アジャスター帯通し）をウエストバンドの内側に設ける構成であるため、着用時にこのベルト通し（または、アジャスター通し）が着用者に当接するため、穿き心地が悪いものとなる。特に、ウエストバンド位置の外側に通常のベルトを巻き、ウエスト周りの寸法調整を行う場合は、着用者のウエスト周りを内ベルト、ズボンの身生地、通常のベルトの３つで取り巻くこととなる。このため、着用者のウエスト周りの厚みが大きくなり穿き心地がより一層悪いものとなる。
【０００９】
また、着用者の姿勢変更によってウエストバンドの内側が外部から視認される状態となると従来のズボンでは、ベルト（または、アジャスター）とベルト通し（または、アジャスター通し）も一緒に見えてしまい見苦しく、見栄えがしないものとなる。
【００１０】
本発明は、このような事情に鑑みてなされたものであり、下衣の見栄え、穿き心地、ならびに利便性を損なわせることなく、上衣の裾が該下衣から出ることを低減させることができることを目的とする。
【課題を解決するための手段】
【００１１】
本発明に係る下衣は、上記した課題を解決するために、着用時に着用者のウエストを帯状のウエストバンドで取り囲むように構成された下衣であって、当該下衣の内側において、上端が前記ウエストバンドに固定されるとともに、下端が自由端となっており、該ウエストバンドに沿うように設けられた帯部材と、前記帯部材の前記着用者と接する側の面に、長手方向における両端部が取り付けられた複数の帯状の伸縮性部材と、を備え、前記帯部材に取り付けられた伸縮性部材の両端部間において、該伸縮性部材の長さは前記帯部材の長さよりも短くなっている。
【００１２】
上記した構成によると、帯部材の前記着用者と接する側の面に伸縮性部材の両端部が取り付けられており、この取り付けられた伸縮性部材の両端部間において、伸縮性部材の長さが帯部材よりも短くなっている。このため、この下衣を着用すると、伸縮性部材が長手方向に伸びて着用者のウエスト周りを締め付ける方向に力が働く。このため、下衣の内側に入れられているシャツなど上衣の裾がこの下衣から出てしまうことを防ぐことができる。
【００１３】
また、この伸縮性部材は、下衣のウエストバンド部分ではなく帯部材上に取り付けられている。
【００１４】
ここで、仮に伸縮性部材を下衣のウエストバンド部分に取り付けた場合、伸縮性部材の取り付け位置にしわが発生したり、伸縮性部材が外部から視認されたりするため、着用時において見栄えがしないものとなる。さらにウエストバンド部分は、ウエストをしっかりホールドできるように着用者のウエスト周りとの間にできるだけ隙間が少なくなるように設計されている。このため、ウエストバンド部分に伸縮性部材を取り付けると伸縮性部材が取り付けられた部分では、伸縮性部材の厚みのために着用者の腰周りを圧迫し、穿き心地が悪いものとなる。
【００１５】
これに対して本発明に係る下衣では、ウエストバンドの下方に設けられた帯部材に伸縮性部材が取り付けられている。このため、着用者の姿勢変更によりウエストバンドの内側面が外部から視認される状態であっても伸縮性部材は外部に曝されることはない。さらに仮に伸縮性部材の取り付け位置でしわが発生しても、着用時において下衣自体の見栄えには影響を与えない。
【００１６】
また、ウエストバンドの下方は、ウエストバンド部分よりも着用者との間にゆとりがあるため、伸縮性部材の取り付け位置において、その厚みによる着用者のウエスト周りへの圧迫を低減させることができる。
【００１７】
また、伸縮性部材は、事前に下衣に取り付けられているため、例えば、特許文献１、２に示す従来の下衣のように、着用時にベルトまたはアジャスターを用意する必要がなく利便性が高い。
【００１８】
したがって、本発明に係る下衣は、見栄え、穿き心地、ならびに利便性を損なわせることなく、上衣の裾が下衣から出ることを低減させることができるという効果を奏する。
【００１９】
また、本発明に係る下衣は、上記した構成において、前記伸縮性部材は、当該下衣の両側部位置において前記帯部材上にそれぞれ配置されるように構成されていてもよい。
【００２０】
また、本発明に係る下衣は、上記した構成において、当該下衣の両側部には、前身頃と後ろ身頃との切替である脇線が設けられており、前記伸縮性部材の両端部は、前記脇線を跨ぎその前後となる位置で前記帯部材にそれぞれ固定されるように構成されていてもよい。
【００２１】
上記した構成によると、前記伸縮性部材は、下衣の両側部位置となる前記帯部材上に配置されている。特には、伸縮性部材の両端部は、脇線を跨ぎその前後となる位置で前記帯部材にそれぞれ固定されている。
【００２２】
このため、本発明に係る下衣は伸縮性部材によってその両側部位置部分で着用者を締め付ける方向に力を作用させることができる。
【００２３】
ところで、着用時における下衣の両側部位置は、着用者の動きの影響を大きく受ける箇所である。つまり、下衣の中に入れたシャツなどの上衣の裾が、この下衣から出てくる頻度が高い位置であるといえる。
【００２４】
上述したように本発明に係る下衣は、この下衣の両側部位置にくる着用者の部位を伸縮性部材によって上衣の上から締め付けることができるため、上衣が下衣から出てくることを低減させることができる。
【００２５】
また、本発明に係る下衣は、上記した構成において、前記帯部材は、該帯部材の短手方向で折り曲げ形成された複数の第１帯部分と、該帯部材の短手方向で折り曲げ形成され、着用者と接する側の面に前記伸縮性部材が取り付けられた複数の第２帯部分とをつなぎ合わせて構成されており、前記第２帯部分の端部とともに前記伸縮性部材の端部が、折り曲げられた第１帯部分によって挟みこまれるように配置され、縫着されるように構成されていてもよい。
【００２６】
上記した構成によると、第１帯部分によって第２帯部分の端部とともに伸縮性部材の端部が挟みこまれるよう配置され縫着されている。このため伸縮性部材の端部のほつれなどが見えないようにすることができる。
【００２７】
したがって、本発明に係る下衣は、見栄えを向上させることができる。
【発明の効果】
【００２８】
本発明に係る下衣は、以上に説明したように構成され、見栄え、穿き心地、ならびに利便性を損なわせることなく、上衣の裾が下衣から出ることを低減させることができるという効果を奏する。
【図面の簡単な説明】
【００２９】
【図１】本発明の実施の形態に係るズボンの一態様を示す正面図である。
【図２】図１に示すズボンの背面図である。
【図３】図１に示すズボンのライズ部分における内側の構成を示す図である。
【図４】図３に示す伸縮性部材の取り付け状態を示す拡大図である。
【発明を実施するための形態】
【００３０】
以下、本発明の実施形態によるズボン（下衣）１の具体的な構成例について、図面を参照しながら説明する。なお、以下では全ての図面を通じて同一又は相当する要素には同一の参照符号を付して、その重複する説明を省略する。
【００３１】
（ズボンの概略構成）
図１、図２を参照してズボン１の概略構成について説明する。図１は、本発明の実施の形態に係るズボン１の一態様を示す正面図である。図２は、図１に示すズボン１の背面図である。なお、本明細書では、ズボン１を装着したときに着用者のウエスト側となる方を上方側とし、着用者の脚側（ズボンの裾側）となる方を下方側とする。
【００３２】
図１、２に示すように、本実施の形態に係るズボン１は、前身頃表地の両サイドに２つのサイドポケット２ａ、２ｂと、後ろ身頃に２つのヒップポケット３ａ、３ｂとをそれぞれ設けた、脚部をすべて覆う、いわゆる長ズボンである。また、ズボン１の前身頃の中央部分には、フライ４が設けられ前開き部分を被うようになっている。なお、この前開き部分は、図示しないジッパーまたはボタンにより開閉できるようになっている。
【００３３】
また、フライ４の上方には前ボタン６が設けられている。そして、前ボタン６によりウエストバンド５を留めると着用者のウエストラインに沿って囲むようにウエストバンド５は環状となる。このウエストバンド５部分には所定間隔ごとに複数のベルトループ７が設けられている。
【００３４】
ズボン１の表地（身生地）は、縦方向、横方向いずれにも伸縮可能な素材となっている。伸縮可能な素材としては、例えば、綿またはウールなどの天然繊維、レーヨンなどの再生繊維、アクリル系繊維またはポリエステル系繊維などの合成繊維などにポリウレタン弾性繊維（スパンデックス）を混用したストレッチ素材を利用することができる。
【００３５】
ところで、上述したようにズボン１では、シャツなどの上衣の裾を下衣に入れて着用する場合、着用者が姿勢を変更することによって上衣の裾が下衣からでてしまう問題があった。
【００３６】
そこで、本実施の形態に係るズボン１は、図３に示すようにズボン１の裏地側の縫製を工夫し、この問題を軽減させている。特に、ズボン１の裏地側において、帯部材８の上に伸縮性部材９ａ、９ｂを取り付けることで上衣の裾が下衣からでてしまう問題を軽減するように工夫している。以下において、ズボン１の内側（裏地側）について図３、図４を参照してより詳細に説明する。
【００３７】
（ズボンの内側の構成）
図３は、図１に示すズボン１のライズ部分における内側の構成を示す図である。図４は、図３に示す伸縮性部材９ｂの取り付け状態を示す拡大図である。
【００３８】
図３では、ズボン１を前開き部分で開いて展開した状態を示している。このため、図３では、略中央部分に後ろ中心線２０が、両端部に前身頃の前開き部分が配置されることとなる。また、後ろ中心線２０と前開き部分との間には、前身頃と後ろ身頃との切替部分である脇線２１ａ、２１ｂがそれぞれ配置されている。
【００３９】
図３に示すように、ズボン１の内側には、ズボン１内にシャツ（上衣）をインした時の収まりを良くしたり、ズボン１のフィット感を高めたりするために帯部材８が取り付けられている。
【００４０】
帯部材８は、ズボン１の内側において、帯状に形成されたウエストバンド５の下方に、このウエストバンド５の長手方向に沿うように取り付けられている。つまり、帯部材８の上端はウエストバンド５に固定されるとともに、下端は自由端となっている。なお、帯部材８は、例えば、綿またはレーヨンなど伸縮性が小さい布の織目方向に対して斜めにカットした生地を採用している。これによって、帯部材８に伸縮性を持たすことができる。
【００４１】
ズボン１の側部部分において、帯部材８上に帯状の複数の伸縮性部材９ａ、９ｂが配置されている。より具体的には、図３に示すように、帯部材８の内側面（着用者と接する側の面）における、脇線２１a、２１ｂを跨いだその前後となる所定区間に、伸縮性部材９ａ、９ｂがそれぞれ配置されている。
【００４２】
図３の例では、２つの伸縮性部材９ａ、９ｂは、後ろ中心線２０を基準に左右対称となるように配置され、脇線２１ａ、２１ｂよりもやや前開き部分側の位置から、脇線２１ａ、２１ｂと後ろ中心線２０との略中間位置までの区間に配置されている。伸縮性部材９ａ、９ｂは、例えば、ゴムなどズボン１の身生地より大きな伸縮性を有する素材から構成されている。なお、これら伸縮性部材９ａ、９ｂについての詳細は後述する。
【００４３】
帯部材８の下方には、後ろ中心線２０を基準にして右側にヒップポケット３ａの収容空間を形成するヒップポケット用袋布１０ａが、左側にヒップポケット３ｂの収容空間を形成するヒップポケット用袋布１０ｂがそれぞれ取り付けられている。また、ヒップポケット用袋布１０ａの右側には、サイドポケット２ａの収容空間を形成するサイドポケット用袋布１１ａが取り付けられ、ヒップポケット用袋布１０ｂの左側には、サイドポケット２ｂの収容空間を形成するサイドポケット用袋布１１ｂが取り付けられている。
【００４４】
すなわち、図３に示すように、後ろ中心線２０を基準にして左右対称に２つのヒップポケット用袋布１０ａ、１０ｂが隣り合うように配置され、各ヒップポケット用袋布１０ａ、１０ｂの前開き部分側にはサイドポケット用袋布１１ａ、１１ｂが配置されている。
【００４５】
（伸縮性部材）
ここで、図３において後ろ中心線２０の右側に配される伸縮性部材９ｂを例に挙げて説明する。まず、伸縮性部材９ｂについて説明する前に、伸縮性部材９ｂを縫着する帯部材８について説明する。
【００４６】
帯部材８は、図３、図４に示すように、複数の帯部分から構成されている。本実施形態では、伸縮性部材９ｂが配置される２つの帯部分（第２帯部分８ｂ）と伸縮性部材９ｂが配置されない３つの帯部分（第１帯部分８ａ）から構成されている。各帯部分は、帯部材８の短手方向で折り曲げられている。つまり、図４の例では、ズボン１における下方側で折り曲げられ、上方側でそれらの端部を合わせてウエストバンド５下端部に縫い付けるように構成されている。また、第２帯部分８ｂの端部上に第１帯部分８ａの端部が重なるように配置され、両者が繋ぎ合わされ、帯部材８を構成する。
【００４７】
より具体的には、第１帯部分８ａは、図４に示すように、第２帯部分８ｂと連結される側の端部が折り曲げられ、第２帯部分８ｂとともに伸縮性部材９ｂの端部をカン止めするための縫い代を形成している。なお、第２帯部分８ｂと連結される側の端部は、帯部材８を短手方向で折り曲げることで形成されたその内部領域に向かって内側に折り曲げられている。
【００４８】
一方、第２帯部分８ｂは、その両端部近傍に伸縮性部材９ｂの両端部がそれぞれ配置され、両者がともに、折り曲げられた第１帯部分８ａ内に挟みこまれ、第２帯部分８ｂと伸縮性部材９ｂとの端部（長手方向における端部）がこの第１帯部分８ａにカン止めされる。このようにして、第１帯部分８ａ、第２帯部分８ｂ、および伸縮性部材９ｂが縫着されるため、伸縮性部材９ｂの端部は第１帯部分８ａで隠れることとなる。このため、伸縮性部材９ｂの端部にほつれが生じたとしても外観上、隠すことができる。このため、ズボン１の見栄えを向上させることができる。
【００４９】
また、伸縮性部材９ｂの両端部がカン止めされている区間では帯部材８の長さよりも伸縮性部材９ｂの長さの方が短くなっている。つまり、帯部材８の第２帯部分８ｂの長さの方が伸縮性部材９ｂの長さよりも長くなっている。本実施形態では、例えば、第２帯部分８ｂの長さを約１７ｃｍとした場合、伸縮性部材９ｂの長さを約１４ｃｍとするようにしている。また、伸縮性部材９ｂの幅は約４ｃｍ程度としている。
【００５０】
このため、伸縮性部材８に力を及ぼさない状態では、直線状の伸縮性部材９ｂに対して帯部材８（第２帯部分８ｂ）は、湾曲した状態となる。そして、ズボン１を着用者が着用すると、伸縮性部材９ｂは、ズボン１内にインされているシャツを着用者のウエスト近傍に押し当てた状態で長手方向に伸ばされる。
【００５１】
このため、ズボン１を着用し、例えば、腰を曲げた姿勢をとった時などに着用者のウエスト近傍に生じる着用者とズボン１との隙間からシャツがずり上がることを伸縮性部材９ａ、９ｂによって防ぐことができる。
【００５２】
なお、本実施形態に係るズボン１では、例えば、第２帯部分８ｂの長さを約１７ｃｍとし、伸縮性部材９ａ、９ｂの長さを約１４ｃｍとするようにしているがこれに限定されるものではない。第２帯部材８ｂと伸縮性部材９ａ、９ｂとの長さの比率関係は、第２帯部材８ｂおよび伸縮性部材９ａ、９ｂそれぞれの伸縮率に応じて適宜設定される。
【００５３】
また、伸縮性部材９ａ、９ｂの長さは、ウエストバンド５の寸法に応じて適時変更されるが、着用者がズボン１の着用時に伸縮性部材９ａ、９ｂと帯部材８との間に足を誤って入れてしまわない程度の長さであることが好ましい。
【００５４】
伸縮性部材９ａ、９ｂの面上には、例えば、ズボンを製造しているメーカーのブランド名またはブランドマークが貼着されていてもよいし、模様が形成されていてもよい。これによって、伸縮性部材９ａ、９ｂのデザイン性が向上し、顧客の購買意欲を掻き立てることができる。
【００５５】
（変形例）
本実施形態では、ズボン１として長ズボンを例に挙げてその裏側の構造について説明したが、ズボン１は長ズボンに限定されるものではなく、半ズボンであってもよい。また、ズボンに限定されるものではなくスカートなどの下衣であってもよい。
【００５６】
また、ズボン１は伸縮性を有する生地から縫製されたものを例に挙げ説明したが、必ずしも伸縮性を有する生地で縫製されたズボンに限定されるものではない。例えば、綿などで縫製されたズボンであってもよい。
【００５７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００５８】
本発明によれば、帯部材８上に伸縮性部材９ａ、９ｂが縫着され、シャツなどの上衣の裾が着用者の運動などに起因してズボン１などの下衣から出てくることを伸縮性部材９ａ、９ｂによって防ぐことができる。このため、上衣の裾を内側に収納して着用されるようなズボンまたはスカートなどの下衣において効果的に利用できる。
【符号の説明】
【００５９】
１      ズボン
２ａ    サイドポケット
２ｂ    サイドポケット
３ａ    ヒップポケット
３ｂ    ヒップポケット
４      フライ
５      ウエストバンド
６      前ボタン
７      ベルトループ
８      帯部材
８ａ    第１帯部分
８ｂ    第２帯部分
９ａ    伸縮性部材
９ｂ    伸縮性部材
１０ａ  ヒップポケット用袋布
１０ｂ  ヒップポケット用袋布
１１ａ  サイドポケット用袋布
１１ｂ  サイドポケット用袋布
２０    後ろ中心線
２１ａ  脇線
２１ｂ  脇線
３０    ポケット口
【図１】
2014152409.tif 000003
【図２】
2014152409.tif 000004
【図３】
2014152409.tif 000005
【図４】
2014152409.tif 000006